(57)【特許請求の範囲】
【請求項１】
一方向に配列された透明電極パターンと配向膜とが順次積層された一方の透明基板と、他方向に配列された透明電極パターンと配向膜とが順次積層された他方の透明基板とを所定の間隔で対向配置させ、双方の透明電極パターンを交差させて方形状の表示領域を成し、両透明基板間の該表示領域周辺にシール剤を周設して方形状のシール部を配し、さらにシール部の形成領域までに透明電極パターンを延在して、この透明電極パターンの延在部および表示領域と上記シール部の角部との間にダミーパターンを形成せしめるとともに、表示領域の角部から該角部に近接するシール部の角部にいたる領域に前記ダミーパターンに比べ占有面積比率の小さな第２のダミーパターンを形成したことを特徴とする液晶表示装置。
【発明の詳細な説明】
【０００１】
【発明の属する技術分野】
本発明は液晶表示装置の改良に関するものである。
【０００２】
【従来の技術】
液晶表示装置はガラス基板上に透明電極を形成し、その上に配向膜を形成したものを２個用意し、双方を液晶材を介して所定の間隔（たとえば５〜１０μｍ）で対向配設し、表示領域を形成し、そして、表示領域の外周にそってたとえば有機系の接着剤によりシールした構造となっている。また、液晶層の厚みを均一にするために、その内部に、さらにシール部に球状または棒状のスペーサを配している。
【０００３】
また、スーパーツイストネマチック型液晶表示装置、ならびに強誘電性の液晶表示装置や反強誘電性の液晶表示装置等においては、セルギャップの不均一が表示品位に重大な悪影響を及ぼし、そのためにセルギャップを全面にわたって均一化しなければならない。かかる課題に対し、表示領域の外周にダミーパターンを設ける技術が提示されている（特開平６−５１３３２号参照）。
【０００４】
また、図５に示す液晶表示装置８のように表示領域の角部にダミーパターン（ダミー配線）を形成して、液晶層の厚みを均一化させている（特許第２５０２５２９号参照）。
【０００５】
すなわち、ガラス基板１上に設けた透明電極２でもって形成した方形状の表示領域３の周囲にシール剤を周設して方形状のシール部４を形成した場合に、表示領域３の角部５からシール部４の角部６にいたる領域にダミーパターン７を形成し、これによって表示領域３内の液晶厚みを均一化させている。
【０００６】
【発明が解決しようとする課題】
上記構成の液晶表示装置においては、シール剤を周設し、貼り合わせた際に圧力を加える。
【０００７】
しかしながら、シール部４の角部６付近に比べ、シール部４の角部６以外の部分では、圧力に対し弱く、これにより、シール部４の角部６付近では基板間ギャップが大きくなる傾向があり、その結果、表示領域３の角部５付近と、表示領域３のそれ以外の領域との間でギャップムラに起因する表示不良が発生していた。とくにカラー表示の液晶表示装置では色ムラが発生し、表示品位を大きく低下させていた。
【０００８】
したがって本発明は上記事情に鑑みて案出されたものであり、その目的はカラー表示用などの高精細画像の液晶表示装置おける表示領域周辺の角部に位置するシール部において、貼り合わせ圧力に対し弱めることで、シール部の全周にわたって均等に圧力が付加されるようにして、シール部の近傍に色ムラが発生しない高表示品位の液晶表示装置を提供することにある。
【０００９】
【課題を解決するための手段】
本発明の液晶表示装置は、一方向に配列された透明電極パターンと配向膜とが順次積層された一方の透明基板と、他方向に配列された透明電極パターンと配向膜とが順次積層された他方の透明基板とを所定の間隔で対向配置させ、双方の透明電極パターンを交差させて方形状の表示領域を成し、両透明基板間の該表示領域周辺にシール剤を周設して方形状のシール部を配し、さらにシール部の形成領域までに透明電極パターンを延在して、この透明電極パターンの延在部および表示領域と上記シール部の角部との間にダミーパターンを形成せしめるとともに、表示領域の角部から該角部に近接するシール部の角部にいたる領域に前記ダミーパターンに比べ占有面積比率の小さな第２のダミーパターンを形成したことを特徴とする。
【００１１】
【発明の実施の形態】
本発明の液晶表示装置９を図１〜図４により説明する。図１はその平面図、図２は図１の液晶表示装置９のコーナー部付近の電極パターンの拡大図である。また、図３および図４は液晶表示装置９におけるコーナー部付近の他の電極パターンを示す拡大図である。
【００１２】
図１の本発明液晶表示装置９においては、前記一方の透明基板としてのガラス製の走査側基板１０と前記他方の透明基板としてのガラス製の信号側基板１１とを対向配置するが、その際に信号側基板１１上に一方向に配列された透明電極パターンとしての透明電極１２ａ（たとえば電極幅：８２．５μｍ）を形成し、走査側基板１０上に他方向に配列された透明電極パターンとしての透明電極１２ｂ（たとえば電極幅：２８７．５μｍ）を形成することで、双方の透明電極１２ａ、１２ｂを交差させて方形状の表示領域１３を構成し、さらに透明電極１２ａ上および透明電極１２ｂ上にポリイミド系樹脂の配向膜を被覆している。
【００１３】
また、走査側基板１０と信号側基板１１とはエポキシ系、アクリル系、シリコーン系などの熱硬化型樹脂または紫外線硬化型樹脂からなるシール剤を周設してなる前記シール部としての方形状のシール部１４を介して固定される。すなわち、走査側基板１０と信号側基板１１とをシール部１４を介して接着し、さらに位置合わせすることでシール部１４によって囲まれた空間を設け、シール部１４を加熱し硬化させる。そして、信号側基板１１上の透明電極１２ａや走査側基板１０上の透明電極１２ｂはシール部１４にまで延在させている。
【００１４】
また、走査側基板１０と信号側基板１１との間の表示領域１３には樹脂球状体から成る非導電性のスペーサが多く分散され、これによって両基板間隔を一定にして、その内部に液晶が封入されている。１５は表示領域１３に隣接して信号側基板１１上に設けたダミーパターンである。
【００１５】
本発明においては、図２に示すようにダミーパターン１５を透明電極１２ａ、１２ｂの延在部１２ｃおよび表示領域１３と、シール部１４の角部１６との間に、すなわちシール部１４の角部１６以外の領域に形成した。
【００１６】
上記構成の液晶表示装置９によれば、シール部１４を介して貼り合わせ、ついで圧力を加えた際に、ダミーパターン１５でもってシール部１４全体にわたってほぼ均等に圧力が加えられ、これにより、シール部１４の角部１６付近と、角部１６以外とで基板間ギャップをそろえておき、その結果、表示領域１３の角部１３ａ付近と、それ以外の領域とでギャップムラが生じなくなり、優れた表示ができた。とくにカラー表示の液晶表示装置である場合において、色ムラが発生しなくなり、表示品位を著しく高めることができた。
【００１７】
本発明の液晶表示装置９は上記の他に図３および図４に示すようにダミーパターンを変えてもよい。
【００１８】
図３においては、図２に示すダミーパターン１５に代えて幅広のダミーパターン１５ａを形成したものである。このようなパターンはその装置自体のサイズや用途等により適宜もっとも最適な条件となるように設定すればよい。
【００１９】
また、上記ダミーパターン１５、１５ａの占有面積比率と比べ小さくした第２のダミーパターン１５ｂを図４に示すようにシール部１４の角部付近に形成してもよい。
【００２０】
なお、本発明は上記実施形態例に限定されるものではなく、本発明の要旨を逸脱しない範囲内で種々の変更や改良等は何ら差し支えない。たとえば、上記図４に示す実施形態例では線状の第２のダミーパターン１５ａを形成したが、これに代えてドット状のダミーパターンを設けてもよい。
【００２１】
【発明の効果】
以上のとおり、本発明の液晶表示装置によれば、透明電極パターンの延在部および表示領域とシール部の角部との間にダミーパターンを形成したり、あるいは占有面積比率がこのダミーパターンと比べて小さい第２のダミーパターンをシール部の角部に形成したことで、シール部を介して貼り合わせ、ついで圧力を加えた際に、表示領域周辺の角部に位置するシール部での貼り合わせ圧力を弱め、これにより、シール部の全周にわたって均等に圧力が付加され、シール部の角部付近と、それ以外の部分とで、基板間ギャップがそろい、その結果、表示領域の角部付近と、それ以外の領域とでギャップムラが生じなくなり、優れた表示ができた。とくにシール部の近傍に色ムラが発生しない高表示品位のカラー液晶表示装置が提供できた。
【図面の簡単な説明】
【図１】本発明の液晶表示装置の平面図である。
【図２】本発明の液晶表示装置における走査側基板または信号側基板のコーナー部付近の電極パターンの拡大平面図である。
【図３】本発明の液晶表示装置における走査側基板または信号側基板のコーナー部付近の電極パターンの拡大平面図である。
【図４】本発明の液晶表示装置における走査側基板または信号側基板のコーナー部付近の電極パターンの拡大平面図である。
【図５】従来の液晶表示装置における走査側基板または信号側基板のコーナー部付近の電極パターンの拡大平面図である。
【符号の説明】
９              液晶表示装置
１０            走査側基板
１１            信号側基板
１２ａ、１２ｂ  透明電極
１３            表示領域
１４            シール部
１５、１５ａ    ダミーパターン
１５ｂ          第２のダミーパターン
【図１】
0003732955.tif 000002
【図２】
0003732955.tif 000003
【図３】
0003732955.tif 000004
【図４】
0003732955.tif 000005
【図５】
0003732955.tif 000006